(57)【特許請求の範囲】
【請求項１】
折り畳まれて重合するウェットティッシュを収容する非通気性の容器本体の上面部に可撓性の開閉蓋を粘着させて前記上面部に設けた取出口を密閉したり、前記開閉蓋の一部を剥離させることによって前記取出口を開放させることのできる包装体の開閉蓋において、長手方向にみて一端に設けられた摘み部と、
前記摘み部のある一端と反対側の他端近傍で、前記開閉蓋の幅方向の両側に、２つの離れた第一切込部を有する剥離停止部と、
前記剥離停止部によって前記上面部への粘着固定が保持される粘着固定部と、
前記取出口を密閉・開放する粘着剥離可能部と、
前記開閉蓋の幅方向の両側で、前記２箇所の剥離停止部の夫々の内側に、該剥離停止部と連なる形状の第二切込部を有すると共に、該第二切込部で囲まれ、前記粘着剥離可能部から前記粘着固定部側へ突出する形状を有する舌片部と、
前記両舌片部を連ねるとともに、前記粘着剥離可能部が起立する際の起点となる起点線とを備え、
前記舌片部は、前記粘着剥離可能部及び前記舌片部を前記上面部から剥がすと、前記粘着剥離可能部の延長上へ移動し、先端が前記上面部に当接して前記粘着剥離可能部を起立させる支えとなり、
前記起点線は、２つ形成されており、
前記起点線のうち第１の起点線は、ミシン目又は押罫からなり、前記両舌片部の先端同士を連ねて設けられ、
前記起点線のうち第２の起点線は、ミシン目又は押罫からなり、前記第１の起点線に沿って前記粘着剥離可能部の方向の近傍に設けられていることを特徴とする包装体の開閉蓋。
【請求項２】
折り畳まれて重合するウェットティッシュを収容する非通気性の容器本体の上面部に可撓性の開閉蓋を粘着させて前記上面部に設けた取出口を密閉したり、前記開閉蓋の一部を剥離させることによって前記取出口を開放させることのできる包装体において、
前記開閉蓋は、
長手方向にみて一端に設けられた摘み部と、
前記摘み部のある一端と反対側の他端近傍で、前記開閉蓋の幅方向の両側に、２つの離れた第一切込部を有する剥離停止部と、
前記剥離停止部によって前記上面部への粘着固定が保持される粘着固定部と、
前記取出口を密閉・開放する粘着剥離可能部と、
前記開閉蓋の幅方向の両側で、前記２箇所の剥離停止部の夫々の内側に、該剥離停止部と連なる形状の第二切込部を有すると共に、該第二切込部で囲まれ、前記粘着剥離可能部から前記粘着固定部側へ突出する形状を有する舌片部と、
前記両舌片部を連ねるとともに、前記粘着剥離可能部が起立する際の起点となる起点線とを備え、
前記舌片部は、前記粘着剥離可能部及び前記舌片部を前記上面部から剥がすと、前記粘着剥離可能部の延長上へ移動し、先端が前記上面部に当接して前記粘着剥離可能部を起立させる支えとなり、
前記起点線は、２つ形成されており、
前記起点線のうち第１の起点線は、ミシン目又は押罫からなり、前記両舌片部の先端同士を連ねて設けられ、
前記起点線のうち第２の起点線は、ミシン目又は押罫からなり、前記第１の起点線に沿って前記粘着剥離可能部の方向の近傍に設けられていることを特徴とする包装体。
【発明の詳細な説明】
【技術分野】
【０００１】
本発明は、使用時に開らいた状態のままとできる包装体及び包装体の開閉蓋に関する。
【背景技術】
【０００２】
幼児のお尻拭き，家具の清拭，化粧落とし，トイレ清掃等を目的として、アルコール，保湿剤，界面活性剤等を含む薬液を紙，織布又は不織布の繊維素材に含浸させたウェットティッシュが従来から広く使用されている。このウェットティッシュは、長時間空気に晒しておくと、含浸物が乾いたり揮発して品質が低下してしまうため、通常、気密性や液密性を有する包装体に収容される。
【０００３】
この種の包装体は、包装体の一箇所に設けられた取出口を覆うように、繰り返し剥離、貼着が可能なシート状の開閉蓋が取り付けられている。この開閉蓋は、包装体との接着面に感圧接着剤を塗布され、包装体の取出口を閉塞することで、包装体内部に収容されたウェットティッシュの乾燥を防止し、気密状態を保つようにしている。ウェットティッシュの取出しの際には、開閉蓋を引き起こして取出口を開放するが、折り曲げに対する反発により開閉蓋が元に戻ってしまい、ウェットティッシュが取出しにくかったり、感圧性接着剤が手についたりすることがあった。
【０００４】
この対策として、例えば、特許文献１に示す技術が知られている。この技術は、開閉蓋を開いた状態を保持するように、包装体に持続的に固定される接着固定部分と剥離可能部分の境界に凹凸の切り込みを形成し、開閉蓋を引き起こすことにより、切り込み部が開閉蓋の撓みに反発し、立ち上がりを保持する支えとして作用させる。この特許文献１の技術によれば、一方の手で元に戻ろうとする開閉蓋を押さえ、他方の手によってウェットティッシュを取り出すといったように両手を使う必要がなくなり、片手で、開閉蓋を開きウェットティッシュを取り出すことができる。
【先行技術文献】
【特許文献】
【０００５】
【特許文献１】特許第２８６２４７６号
【発明の概要】
【発明が解決しようとする課題】
【０００６】
しかしながら、この特許文献１の包装体は、形状や大きさ等の理由から、粘着剤が開閉蓋の全面に存在すると立ち上がり保持機能の働きが阻害されることがあるため、部分的に粘着剤を抜いたり、その部分に別部材を取り付けたりする必要があり、コストアップの要因ともなっていた。また、開閉時の動作にもスムーズさを欠くことがあった。
【０００７】
そこで、この発明が解決しようとする課題は、ウェットティッシュの取り出し時には包装体の取出口を閉塞している開閉蓋を引き剥がしてこれを立ち上がり所定位置で停止させ、ウェットティッシュの取り出し後の取出口の閉塞時には開閉蓋の立ち上がり停止を解消でき、加えて、これらの一連の動作をスムーズに行うことが可能な包装体及び包装体の開閉蓋を提供することである。
【課題を解決するための手段】
【０００８】
本発明の第１の側面に係る包装体の開閉蓋によれば、折り畳まれて重合するウェットティッシュを収容する非通気性の容器本体の上面部に可撓性の開閉蓋を粘着させて前記上面部に設けた取出口を密閉したり、前記開閉蓋の一部を剥離させることによって前記取出口を開放させることのできる包装体の開閉蓋において、長手方向にみて一端に設けられた摘み部と、前記摘み部のある一端と反対側の他端近傍で、前記開閉蓋の幅方向の両側に、切り込みを入れることにより離れて２つ形成された剥離停止部と、前記剥離停止部によって前記上面部への粘着固定が保持される粘着固定部と、前記取出口を密閉・開放する粘着剥離可能部と、前記開閉蓋の幅方向の両側で、前記剥離停止部の内側に、該剥離停止部と連なるよう、切り込みを入れることにより離れて２つ形成され、前記粘着剥離可能部から前記粘着固定部側へ突出する舌片部と、前記両舌片部を連ねるとともに、前記粘着剥離可能部が起立する際の起点となる起点線とを備え、前記舌片部は、前記粘着剥離可能部及び前記舌片部を前記上面部から剥がすと、前記粘着剥離可能部の延長上へ移動し、先端が前記上面部に当接して前記粘着剥離可能部を起立させる支えとなり、前記起点線は、２つ形成されており、前記起点線のうち第１の起点線は、ミシン目又は押罫からなり、前記両舌片部の先端同士を連ねて設けられ、前記起点線のうち第２の起点線は、ミシン目又は押罫からなり、前記第１の起点線に沿って前記粘着剥離可能部の方向の近傍に設けることができる。
【０００９】
前記構成により、舌片部は、粘着剥離可能部及び舌片部を上面部から剥がすと、舌片部が粘着剥離可能部の延長上へ移動し、先端が上面部に当接して粘着剥離可能部を起立させる支えとなるように構成されているので、開閉蓋の摘み部を粘着固定部側に引き上げると、粘着固定部近傍に形成された舌片部が支えになり、取出口を開放したまま開閉蓋が起立した状態を保つことができ、包装体に収容されたウェットティッシュの取り出しを容易に行うことができる。
【００１０】
また、前記構成により、舌片部が剥離停止部の内側で離れて２つ形成されており、舌片部を幅広く１つ設けるよりも上面部と当接する面積が少なく、舌片部の先端と上面部との摩擦が少なくて済むので、開閉時の動作をスムーズに行える。
【００１１】
また、前記構成により、粘着剥離可能部が起立する際の起点となる起点線が設けられているので、粘着剥離可能部を起点線のところで折り曲げることで容易に起立させることができる。
【００１２】
また、前記構成により、ミシン目又は押罫からなる第１の起点線を両舌片部の先端同士を連ねて設け、ミシン目又は押罫からなる第２の起点線を第１の起点線に沿って粘着剥離可能部の方向の近傍に設けており、折り曲げる起点となる起点線が２つあるので、起点線１つの当たりの折り曲げ角度が小さくても、起点線が２つあることで全体として大きく折り曲げることが可能となる。すなわち、小さな力でも大きく折り曲げることが可能となることから、粘着剥離可能部を第１の起点線及び第２の起点線のところで折り曲げて起立させた状態で保持しやすいという利点がある。
【００１３】
さらに、前記構成により、舌片部の先端を粘着固定部方向に向けることで舌片部の支えが外れるところ、２つの起点線によるステップを設けたことで起点線１つの当たりの折り曲げ角度が小さく、舌片部の支えを外しやすくできるので、開閉蓋を閉じる際に、起立した状態の開閉蓋を小さな力で倒伏させることができる。すなわち、包装体のユーザは、開閉蓋を開けて、開閉蓋の起立した状態を保持し、ウェットティッシュを取り出し、開閉蓋を閉じるという一連の動作をスムーズに行うことができる。
【００１４】
本発明の第２の側面に係る包装体の開閉蓋によれば、折り畳まれて重合するウェットティッシュを収容する非通気性の容器本体の上面部に可撓性の開閉蓋を粘着させて前記上面部に設けた取出口を密閉したり、前記開閉蓋の一部を剥離させることによって前記取出口を開放させることのできる包装体において、前記開閉蓋は、長手方向にみて一端に設けられた摘み部と、前記摘み部のある一端と反対側の他端近傍で、前記開閉蓋の幅方向の両側に、切り込みを入れることにより離れて２つ形成された剥離停止部と、前記剥離停止部によって前記上面部への粘着固定が保持される粘着固定部と、前記取出口を密閉・開放する粘着剥離可能部と、前記開閉蓋の幅方向の両側で、前記剥離停止部の内側に、前記剥離停止部と連なるよう、切り込みを入れることにより離れて２つ形成され、前記粘着剥離可能部から前記粘着固定部側へ突出する舌片部と、前記両舌片部を連ねるとともに、前記粘着剥離可能部が起立する際の起点となる起点線とを備え、前記舌片部は、前記粘着剥離可能部及び前記舌片部を前記上面部から剥がすと、前記粘着剥離可能部の延長上へ移動し、先端が前記上面部に当接して前記粘着剥離可能部を起立させる支えとなり、前記起点線は、２つ形成されており、前記起点線のうち第１の起点線は、ミシン目又は押罫からなり、前記両舌片部の先端同士を連ねて設けられ、前記起点線のうち第２の起点線は、ミシン目又は押罫からなり、前記第１の起点線に沿って前記粘着剥離可能部の方向の近傍に設けることができる。
【００１５】
前記構成により、舌片部は、粘着剥離可能部及び舌片部を上面部から剥がすと、舌片部が粘着剥離可能部の延長上へ移動し、先端が上面部に当接して粘着剥離可能部を起立させる支えとなるように構成されているので、開閉蓋の摘み部を粘着固定部側に引き上げると、粘着固定部近傍に形成された舌片部が支えになり、取出口を開放したまま開閉蓋が起立した状態を保つことができ、包装体に収容されたウェットティッシュの取り出しを容易に行うことができる。
【００１６】
また、前記構成により、舌片部が剥離停止部の内側で離れて２つ形成されており、舌片部を幅広く１つ設けるよりも上面部と当接する面積が少なく、舌片部の先端と上面部との摩擦が少なくて済むので、開閉時の動作をスムーズに行える。
【００１７】
また、前記構成により、粘着剥離可能部が起立する際の起点となる起点線が設けられているので、粘着剥離可能部を起点線のところで折り曲げることで容易に起立させることができる。
【００１８】
また、前記構成により、ミシン目又は押罫からなる第１の起点線を両舌片部の先端同士を連ねて設け、ミシン目又は押罫からなる第２の起点線を第１の起点線に沿って粘着剥離可能部の方向の近傍に設けており、折り曲げる起点となる起点線が２つあるので、起点線１つの当たりの折り曲げ角度が小さくても、起点線が２つあることで全体として大きく折り曲げることが可能となる。すなわち、小さな力でも大きく折り曲げることが可能となることから、粘着剥離可能部を第１の起点線及び第２の起点線のところで折り曲げて起立させた状態で保持しやすいという利点がある。
【００１９】
さらに、前記構成により、舌片部の先端を粘着固定部方向に向けることで舌片部の支えが外れるところ、２つの起点線によるステップを設けたことで起点線１つの当たりの折り曲げ角度が小さく、舌片部の支えを外しやすくできるので、開閉蓋を閉じる際に、起立した状態の開閉蓋を小さな力で倒伏させることができる。すなわち、包装体のユーザは、開閉蓋を開けて、開閉蓋の起立した状態を保持し、ウェットティッシュを取り出し、開閉蓋を閉じるという一連の動作をスムーズに行うことができる。
【発明の効果】
【００２０】
本発明によれば、ウェットティッシュの取り出し時には包装体の取出口を閉塞している開閉蓋を引き剥がしてこれを立ち上がり所定位置で停止させ、ウェットティッシュの取り出し後の取出口の閉塞時には開閉蓋の立ち上がり停止を解消でき、加えて、これらの一連の動作をスムーズに行うことが可能な包装体及び包装体の開閉蓋を提供することができる。
【図面の簡単な説明】
【００２１】
【図１】本発明を適用した包装体において、開閉蓋が倒伏している様子を示した斜視図である。
【図２】本発明を適用した包装体の開閉蓋を示す平面図である。
【図３】本発明を適用した包装体の開閉蓋の他の実施形態を示す平面図である。
【図４】本発明を適用した包装体の開閉蓋の断面図である。
【図５】本発明を適用した包装体において、開閉蓋が起立している様子を示した斜視図である。
【図６】本発明を適用した包装体において、開閉蓋が起立している様子を示した断面図である。
【発明を実施するための形態】
【００２２】
以下、本発明を適用した具体的な実施の形態について、図面を参照しながら詳細に説明
する。本発明は、例えば、図１乃至図３に示すような構成の包装体１及び包装体の開閉蓋１１，１１'に適用される。
【００２３】
この包装体１は、折り畳まれて重合するウェットティッシュＳを収容する非通気性の容器本体２と、容器本体２の上面部５に設けた取出口３と、粘着させて取出口３を密閉したり、一部を剥離させることによって取出口３を開放させることのできる可撓性を有する開閉蓋１１（１１'）とを主要部として備えている。
【００２４】
容器本体２は、図１に示すように、柔軟で気密性及び／又は液密性を有するシート、例えば約２０ミクロン程度の肉厚のシートフィルムを筒形状として両端部を密封接合した構成とされ、上面部５と、側面部６と、底面部７とからなる略長方体形の密封袋状をしている。容器本体２の内部には一枚毎に繰り出し可能に積層されたウェットティッシュＳの束体が収納されている。なお、容器本体２は、前述のようないわゆるピロータイプに限らず、柔軟で気密性及び／又は液密性を有するシート状のものからなり、その内部にウェットティッシュＳ等を収容できる容器であれば、どのようなものであってもよい。
【００２５】
取出口３は、上面部５の略中央部に設けられた楕円形の開口であり、この開口を介して、ウェットティッシュＳを１枚ずつ取り出すことができる。なお、取出口３の形状は、楕円形に限られず、円形，長方形，菱形等適宜の形状としてもよい。また、取出口３は、予め取出口３を形成したものに開閉蓋１１（１１'）を被覆したものに限らず、包装体１の所定の位置に取出口３を形成するための薄肉部又は切り込みを設け、開閉蓋１１（１１'）を被覆した際、開閉蓋１１の包装体１と対向する面に塗布された接着剤によって、開閉蓋１１（１１'）と一体に包装体１の取出口３を形成する領域のシートが切り取られるようにしてもよい。
【００２６】
このような取出口３を閉塞する開閉蓋１１（１１'）は、図１に示すように、取出口３を閉塞するような大きさを有しており、包装体１に対向する面に、後述する包装体１に繰り返し剥離、貼着ができる接着層１１ａ（後述する）が形成され、包装体１の上面部５に接着されている
【００２７】
開閉蓋１１（１１'）は、開閉蓋１１（１１'）の長手方向にみて一端（短辺端部）に設けられた摘み部１２と、摘み部１２のある一端と反対側の他端近傍に設けられた剥離停止部１３，１３と、剥離停止部１３，１３によって上面部５への粘着固定が保持される粘着固定部１４と、取出口３を密閉・開放する粘着剥離可能部１５と、開閉蓋１１（１１'）の幅方向の両側で、剥離停止部１３，１３の内側に連なって、切り込みを入れることにより離れて２つ形成された舌片部１６，１６とを主要部として備えている。
【００２８】
開閉蓋１１（１１'）は、ポリエチレン、ポリプロピレン、ポリエステル、ポリアミド、ポリ塩化ビニル等の合成樹脂シートの複合材，又はこれら合成樹脂シートとアルミホイル，紙等とを貼り合わせた複合シートからなる柔軟で気密性及び／又は液密性を有するシートにより形成されている。
【００２９】
具体的に開閉蓋１１（１１'）は、図４に示すように、ポリプロピレン又はポリエチレンテレフタレートからなる基材層１１ｂと、基材層１１ｂの上面で所定の文字、図形等が印刷されるとともに、保護層１１ｄを貼り合わせるための接着剤が塗られた印刷接着層１１ｃと、延伸ポリプロピレンからなる保護層１１ｄと、基材層１１ｂの下面で包装体と繰り返し剥離、貼着を行うための再剥離接着剤が塗られた接着層１１ａとの４層からなる複合シートである。
【００３０】
基材層１１ｂは、ポリプロピレン又はポリエチレンテレフタレート等のシート体で形成された層であり、開閉蓋１１（１１'）の剥離、貼着動作を繰り返し行った場合にも傷まず、適度な柔軟性を保てるような厚みを有している。例えば、その厚みは、５０〜８０μｍである。
【００３１】
保護層１１ｄは、印刷接着層１１ｃに転写されたインクをコーティングする層であり、基材層１１ｂの柔軟性を損なわない程度の厚さに形成され、更に、印刷接着層１１ｃを透視できるように透明性を有し、加えて、ウェットティッシュＳの乾燥を防ぐため防湿性を有する層であり、その厚みが１０〜６０μｍである、例えば延伸ポリプロピレンで形成されている。
【００３２】
接着層１１ａは、包装体１と開閉蓋１１（１１'）とを繰り返し剥離、貼着可能にするための再剥離接着剤糊が塗布された層であり、その厚みは１０〜３０μｍである。この接着層１１ａとしては、例えば、ポリエステル系、アクリル系、ゴム系等の感圧接着剤が用いられる。
【００３３】
なお、開閉蓋１１（１１'）は、前述の材質に限らず、全体として開閉蓋１１（１１'）の剥離、貼着動作を繰り返し行った場合にも傷まず、適度な柔軟性、気密性や液密性を保てるものであればよい。
【００３４】
摘み部１２は、図２に示すように、一方の短辺端部に略円弧突出して形成されている。摘み部１２は、摘みやすくするため、接着層１１ａが塗布されておらず、包装体１に接着されていない。なお、摘み部１２は、前述に限らず、開閉蓋１１（１１'）の端部に形成されて、ユーザによって剥離動作を容易に行なえるものであればよく、その形状が、例えば、矩形，台形等であってもよい。
【００３５】
また、摘み部１２は、前述に限らず、ユーザによって摘み部１２を容易に摘めるものであればよく、接着層１１ａが塗布されていない代わりに、接着層１１ａの所定の位置に、いわゆる糊殺しや糊抑えといった接着不能にする層をさらに形成するようにしてもよい。
【００３６】
開閉蓋１１の他端側に設けられた剥離停止部１３，１３は、図２に示すように、開閉蓋１１の長辺端部近傍に切れ込みを入れることによって形成されている。剥離停止部１３，１３は、略楕円形の形状をしており、半円形に湾曲した湾曲部１３ｂ，１３ｂと湾曲部１３ｂ，１３ｂよりは小さい大きさの半円形に湾曲した湾曲部１３ｃ，１３ｃとが、互いの開口が向き合うように配されている。
【００３７】
剥離停止部１３，１３は、図２に示すように、その開口方向が開閉蓋１１の長手方向に沿っており、湾曲部１３ｃ，１３ｃが湾曲部１３ｂ，１３ｂよりも短辺端部に近くなるように構成されている。また、湾曲部１３ｂ，１３ｂと湾曲部１３ｃ，１３ｃとが、短辺端部側において連結されて連結部１３ｄ，１３ｄが長辺端部に平行して形成され、連結部１３ｄ，１３ｄに平行して切り込まれた直線部１３ｅ，１３ｅが形成されている。
【００３８】
開閉蓋１１が剥離される際には、開閉蓋１１が、剥離停止部１３，１３を取り囲む湾曲部１３ｂ，１３ｂ等の切れ込みに沿って剥離されるので、剥離停止部１３，１３は、剥離されることなく貼着状態を維持することでストッパとして機能する。
【００３９】
図３に示すように、剥離停止部１３，１３の直線部１３ｅ，１３ｅを長辺端部まで延長することで剥離停止部１３，１３を構成してもよい（開閉蓋１１'）。この場合、舌片部１６，１６の湾曲部１６ａ，１６ａ（後述する）が湾曲部１３ｃ，１３ｃの役割を兼ねることになる。
【００４０】
開閉蓋１１（１１'）が剥離される箇所は、剥離停止部１３，１３がストッパとして機能するので、湾曲部１３ｃ，１３ｃの先端までとなり、粘着固定部１４は、剥離停止部１３，１３の直線部１３ｅ，１３ｅと湾曲部１３ｃ，１３ｃとが連結されておらず、その間にできる連動部１９，１９を介して剥離停止部１３，１３に繋がれているので、固定されたままとなる。
【００４１】
すなわち、粘着固定部１４は、剥離停止部１３，１３を介して、固定されたままとなり、開閉蓋１１を普通に使用する限り剥離されることはない。なお、湾曲部１３ｂ，１３ｂを半円形に湾曲させることによって、開閉蓋１１がスムーズに剥離するとともに、湾曲部１３ｃ，１３ｃを半円形に湾曲させることによって、開閉蓋１１を包装体１から剥離したときに剥離を停止することが容易なように剥離する力を吸収して弱めて開閉蓋１１が破れたりすることを防止できる。
【００４２】
舌片部１６，１６は、開閉蓋１１（１１'）が取出口３を開いたままの状態に保つことができる、すなわち開閉蓋１１（１１'）が起立した状態を保持する支持部としての機能を有しており、図２に示すように、開閉蓋１１（１１'）の剥離停止部１３，１３に隣接して開閉蓋１１（１１'）の幅方向中央部側に切り込みによって２つ形成されている。
【００４３】
舌片部１６，１６は、剥離停止部１３，１３の湾曲部１３ｃ，１３ｃと同じ向きの半円形に湾曲した湾曲部１６ａ，１６ａを有し、湾曲部１６ａ，１６ａの一方の端部を剥離停止部１３，１３の直線部１３ｅ，１３ｅの端部と結び、他方の端部を舌片部１６，１６の直線部１６ｂ，１６ｂの端部と結ぶことによって略半楕円状に形成されている。なお、舌片部１６，１６は、前述に限らず、摘み部１２側が開放された開ループであり、舌片部１６，１６によって開閉蓋１１（１１'）を開いたままの状態にできる形状であればよく、略矩形や台形或いは半円形であってもよい。
【００４４】
舌片部１６，１６は、粘着剥離可能部１５及び舌片部１６，１６を上面部５から剥がすと、粘着剥離可能部１５の延長上へ移動し、湾曲部１６ａ，１６ａの先端が上面部５に当接して粘着剥離可能部１５を起立させる支えとなる。なお、舌片部１６，１６は、起立しやすいように、又は、倒伏しやすいように、摘み部１２と同様、接着層１１ａが塗布されていないものでもよく、又は、接着層１１ａの所定の位置に、いわゆる糊殺しや糊抑えといった接着不能にする層をさらに形成するようにしてもよい。
【００４５】
また、開閉蓋１１（１１'）は、両舌片部１６，１６を連ねるとともに、粘着剥離可能部１５が起立する際の起点となる第１起点線１７又は／及び第２起点線１８を備えるようにしてもよい。図２に示すように、第１起点線１７は、ミシン目からなり、両舌片部１６，１６の湾曲部１６ａ，１６ａの先端同士を連ねて設けられている。また、第２起点線１８も、ミシン目からなり、第１起点線１７に沿って粘着剥離可能部１５の方向の近傍に設けられている。
【００４６】
第１起点線１７又は／及び第２起点線１８は、粘着剥離可能部１５が起立する際の起点となるように設けられており、粘着剥離可能部１５をミシン目のところで折り曲げることで容易に起立させることができる。ここで、第１起点線１７又は／及び第２起点線１８は、前述に限らず、ミシン目の代わりに、例えば、開閉蓋１１（１１'）の基材層１１ｂのみに切込みを入れて薄肉部を形成したものであってもよい。すなわち、第１起点線１７又は／及び第２起点線１８は、押罫であってもよい。また、２つの起点線のうち、どちらか一方の起点線だけを設けてもよいし、両方設けてもよい。
【００４７】
第１起点線１７及び第２起点線１８（２つの起点線）を設けた場合には、折り曲げる起点となる起点線が２つあるので、起点線１つの当たりの折り曲げ角度が小さくても、起点線が２つあることで全体として大きく折り曲げることが可能となる。すなわち、小さな力でも大きく折り曲げることが可能となることから、粘着剥離可能部１５を第１起点線１７及び第２起点線１８のところで折り曲げて起立させた状態で保持しやすいという利点がある。
【００４８】
加えて、舌片部１６，１６の先端を粘着固定部１４方向に向けることで舌片部１６，１６の支えが外れるところ、２つの起点線によるステップを設けることで起点線１つの当たりの折り曲げ角度が小さく、舌片部１６，１６の支えを外しやすくできるので、開閉蓋１１を閉じる際に、起立した状態の開閉蓋１１（１１'）を小さな力で倒伏させることができる。
【００４９】
以上のような構成の開閉蓋１１（１１'）は、取出口３を閉塞するように、接着層１１ａによって包装体１の上面部５に貼着される。開閉蓋１１（１１'）は、摘み部１２から引き剥がされるとき、粘着剥離可能部１５が、第１起点線１７又は／及び第２起点線１８の起点線のところで折れ曲がって起立するとともに、舌片部１６，１６が、粘着剥離可能部１５の延長上へ移動し、湾曲部１６ａ，１６ａの先端が上面部５に当接して粘着剥離可能部１５を起立させる支えとなる。
【００５０】
なお、剥離停止部１３，１３は、前述に限らず、剥離する力を吸収して固定部を形成するものであればよく、例えば、剥離停止部１３，１３を設ける代わりに、粘着固定部１４を溶着等によって包装体１に再剥離できないようにしてもよく、また、剥離停止部１３，１３の湾曲部１３ｂ，１３ｂや湾曲部１３ｃ，１３ｃの形状を湾曲した半円形の代わりに、波型に形成したものでもよい。
【００５１】
また、開閉蓋１１において、剥離停止部１３，１３の連結部１３ｄ，１３ｄの略中央部から開閉蓋１１の長辺端部に向けて切り込みを入れて形成される切込部２０，２０を設けてもよい。この切込部２０，２０を形成することで、舌片部１６，１６の先端が上面部５に当接しやすくなり、結果として、粘着剥離可能部１５を起立させやすくなる。
【００５２】
続いて、上述のような構成をした包装体１を用いて、ウェットティッシュＳを取り出す場合について図面を参照して説明する。
【００５３】
先ず、ユーザは、図１に示すような開閉蓋１１（１１'）が包装体１の上面部５に貼着されている状態において、摘み部１２を指で摘んで、摘み部１２を上側に引っ張ることにより、開閉蓋１１（１１'）は、摘み部１２から粘着固定部１４側に向けて順次包装体１の上面部５から剥離し、取出口３が露出する。このように、開閉蓋１１（１１'）は、摘み部１２を摘んで開閉蓋１１（１１'）を、図５の矢印Ｘの方向に開いていくと、粘着固定部１４の手前の第１起点線１７又は／及び第２起点線１８の起点線の近傍まで剥離されていく。ユーザは、摘み部１２を第１起点線１７又は／及び第２起点線１８の起点線まで引っ張り続けると、開閉蓋１１（１１'）の剛性により、舌片部１６，１６が取出口３側に突出したような形になる。
【００５４】
ユーザは、摘み部１２を放すと、開閉蓋１１（１１'）はその剛性により元に戻ろうとするが、舌片部１６，１６が取出口３側に突出したような形になって支持部の機能を有していることから、図５及び図６に示すように、開閉蓋１１（１１'）が元の状態に戻らなくなり起立する。このように開閉蓋１１（１１'）が起立している状態によって、ユーザは、例えば片手で取出口３からウェットティッシュＳを容易に取り出すことができる。
【００５５】
また、ユーザは、ウェットティッシュＳの使用が終わり、摘み部１２を摘んで開閉蓋１１（１１'）を、図５の矢印Ｘの方向と反対に閉じていくと、開閉蓋１１（１１'）の支持部となっている舌片部１６，１６の支えが外れて元の位置である粘着固定部１４側に自動的に戻るので、簡単に、取出口３を被覆しながら、包装体１の上面部５に開閉蓋１１（１１'）を貼着することが可能となる。
【００５６】
以上のように、包装体１及び包装体１の開閉蓋１１（１１'）によれば、舌片部１６，１６は、粘着剥離可能部１５及び舌片部１６，１６を上面部５から剥がすと、舌片部１６，１６が粘着剥離可能部１５の延長上へ移動し、先端が上面部５に当接して粘着剥離可能部１５を起立させる支えとなるように構成されているので、開閉蓋１１（１１'）の摘み部１２を粘着固定部１４側に引き上げると、粘着固定部１４近傍に形成された舌片部１６，１６が支えになり、取出口３を開放したまま開閉蓋１１（１１'）が起立した状態を保つことができ、包装体１に収容されたウェットティッシュＳの取り出しを容易に行うことができる。
【００５７】
また、包装体１及び包装体１の開閉蓋１１（１１'）によれば、舌片部１６，１６が剥離停止部１３，１３の内側で離れて２つ形成されており、舌片部１６，１６を幅広く１つ設けるよりも上面部５と当接する面積が少なく、舌片部１６，１６の先端と上面部５との摩擦が少なくて済むので、開閉時の動作をスムーズに行える。
【００５８】
また、包装体１及び包装体１の開閉蓋１１（１１'）によれば、粘着剥離可能部１５が起立する際の起点となる起点線が設けられているので、粘着剥離可能部１５を起点線のところで折り曲げることで容易に起立させることができる。
【００５９】
また、包装体１及び包装体１の開閉蓋１１（１１'）によれば、ミシン目又は押罫からなる第１起点線１７を両舌片部の先端同士を連ねて設け、ミシン目又は押罫からなる第２起点線１８を第１起点線１７に沿って粘着剥離可能部１５の方向の近傍に設けており、折り曲げる起点となる起点線が２つあるので、起点線１つの当たりの折り曲げ角度が小さくても、起点線が２つあることで全体として大きく折り曲げることが可能となる。すなわち、小さな力でも大きく折り曲げることが可能となることから、粘着剥離可能部１５を第１起点線１７及び第２起点線１８のところで折り曲げて起立させた状態で保持しやすいという利点がある。
【００６０】
さらに、包装体１及び包装体１の開閉蓋１１（１１'）によれば、舌片部１６，１６の先端を粘着固定部１４方向に向けることで舌片部１６，１６の支えが外れるところ、２つの起点線によるステップを設けたことで起点線１つの当たりの折り曲げ角度が小さく、舌片部の支えを外しやすくできるので、開閉蓋１１（１１'）を閉じる際に、起立した状態の開閉蓋１１を小さな力で倒伏させることができる。すなわち、包装体１のユーザは、開閉蓋１１を開けて、開閉蓋１１（１１'）の起立した状態の保持し、ウェットティッシュＳを取り出し、開閉蓋１１（１１'）を閉じるという一連の動作をスムーズに行うことができる。
【００６１】
なお、本発明は前述した実施の形態のみに限定されるものではなく、本発明の要旨を逸脱しない範囲において種々の変更が可能であることは勿論である。
【符号の説明】
【００６２】
１      包装体
２      容器本体
３      取出口
４      束体
５      上面部
６      側面部
７      底面部
１１    開閉蓋
１１'  開閉蓋
１１ａ  接着層
１１ｂ  基材層
１１ｃ  印刷接着層
１１ｄ  保護層
１２    摘み部
１３    剥離停止部
１３ｂ  湾曲部
１３ｃ  湾曲部
１３ｄ  連結部
１３ｅ  直線部
１４    粘着固定部
１５    粘着剥離可能部
１６    舌片部
１６ａ  湾曲部
１６ｂ  直線部
１７    第１起点線
１８    第２起点線
１９    連動部
２０    切込部
Ｓ      ウェットティッシュ
Ｘ      矢印
【図１】
0005976287.tif 000002
【図２】
0005976287.tif 000003
【図３】
0005976287.tif 000004
【図４】
0005976287.tif 000005
【図５】
0005976287.tif 000006
【図６】
0005976287.tif 000007